(57)【要約】      （修正有）【課題】手や指先等に何らかの障害を有した人や、歳老いて指先が思うように利かないと云う人達にも容易に、錠剤を取り出せる様にする。【解決手段】傾斜口部下にヒンジ３部を備え、該ヒンジ３上に屈曲ベ−スの内面側に押し出し用の短冊子を同間隔で並設し、該短冊子の前面側に押し出し板６を備え、前記傾斜口部２下の内部に傾斜部を有し、前記押し出し板６の周囲に補強リブを備え、前記押し出し板６表面に縦線状に突起した親指ｔ”案内を有し、当該容器１の傾斜口部２下に包装台紙Ｐに対応するクリップ８を備えたＰＴＰ包装における錠剤の取り出し容器。【選択図】図５
2011125392.tif 000002
【特許請求の範囲】
【請求項１】
上方に前方向けの傾斜口部を設けた透明な筒型の服用容器を兼ねれるＰＴＰ包装における錠剤の取り出し容器において、当該筒型の容器（１）の断面形態を後方側を丸い半円のア−チ門状に形成させると共に、該容器（１）の傾斜口部（２）の傾斜形態を鋭角に形成し、該鋭角の傾斜口部（２）下に、前記傾斜口部（２）の口幅よりも狭い幅のヒンジ（３）を有し、該ヒンジ（３）の上前方側にヒンジ幅の鍵の手状のベ−ス（４）を設け、該ベ−ス（４）内に同間隔に離した短冊形の錠剤押し（５）を並設し、該錠剤押し（５）の前記ベ−ス（４）の前面側を錠剤の押し出し板（６）とし、該押し出し板（６）を押し曲げて錠剤（ｔ）を取り出す過程において、前記錠剤押し（５）の先端部が傾斜口部（２）中へ若干押し込めれるようにしたことを特徴とするＰＴＰ包装(Push through Package)における錠剤取り出し容器。                                                          
【請求項２】
前記容器（１）における傾斜口部（２）の口元下の内側に傾斜面（７）を設けて、該傾斜面（７）下の内面側の前後左右の形態を概ね同寸法状の方形状に形成させ、前記傾斜面（７）下の外側部下に下向きのクリップ（８）を一体的に設けたことを特徴とする請求項１記載のＰＴＰ包装における錠剤の取り出し容器。                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                  
【発明の詳細な説明】
【技術分野】
【０００１】
本発明は、上方に前方向けの傾斜口部を設けた透明な筒型の服用容器を兼ねるＰＴＰ包装 (Push through Package) における錠剤の取り出し容器の改良に関するものである。  
【背景技術】
【０００２】
従来、ＰＴＰ包装における錠剤取り出し容器の構成形態は、逆台形や楕円形状の筒型の透明な容器上に前面側へ向けた傾斜口部を設けて、該傾斜口部にＰＴＰ包装における錠剤ポケット面下を当て、該ポケット面を親指で押し潰して取り出す構造形態であった。
【０００３】
従って、ＰＴＰ包装における錠剤のポケット面下を前記傾斜口部の適正な位置へ合わせる過程と、親指で錠剤のポケット面を潰すのに苦労すると云う問題があったものである。
【０００４】
また、錠剤を取り出す過程に傾斜口部から外れた時点に押し出したりして、錠剤を破壊してしまったり、床面へ取り落としてしまったりすと云う様な問題があったものである。
【０００５】
また、従来の容器の傾斜口部の上端側からスリットを介して上方向け有したクリップは容器の口部先端部を汚し兼ねないと云う衛生状の問題があったものである。            
【先行技術文献】
【特許文献】
【０００６】
【特許文献１】特願２００８−３１０２４０号
【０００７】
【特許文献２】特願２００９−２０３３３０号
【発明の概要】
【発明が解決しようとする課題】
【０００８】
以上に述べた従来の錠剤取り出し容器では、ＰＴＰ包装における錠剤ポケットの下面側を当てる時に素早く位置決め出来ない問題と、錠剤のポケット面を親指で押すと云う構成から、指先等に何らかの障害のある人や病弱な人達には容易に押し出せないと云う欠陥と服用容器を兼ねる口部側のクリップ先端が不潔になり易いと云う衛生面の問題とである。
【０００９】
本発明は、このような従来のＰＴＰ包装における錠剤の取り出し容器の欠陥と問題等を解決しょうとする至便な錠剤の取り出し容器を実現することを目的とするものである。  
【課題を解決するための手段】
【００１０】
そして、本発明は上記目的を達成するために、弾性に富むポリプロピレン樹脂（ｐｐ）の透明な筒型に形成される当該容器（１）の横断面の形態は、後方側の形態を半円形ア−チ門状に形成され、該容器（１）上の前面側に向けた傾斜口部（２）の傾斜角を鋭角に形成し、該傾斜口部（２）の開口部の形態を平行状に形成して大小の錠剤径に対応させ、前記傾斜口部（２）下の口元上に傾斜口部（２）幅よりも若干狭い幅のヒンジ（３）部を設け、該ヒンジ（３）部の上前方側にヒンジ幅のベ−ス（４）を設け、該ベ−ス（４）の内側に短冊子を同間隔に離して並設した錠剤押し（５）を設け、該錠剤押し（５）の前記べ−ス（４）の前面側に押し出し板（６）を形成し、該押し出し板（６）の周囲に補強リブ（ｒ）を設け、該補強リブ（ｒ）間に縦線状に突起した親指案内（ｇ）を備え、該親指案内（ｇ）面を備えた前記押し出し板（６）に親指面を対応させるようにしたものである。
【００１１】
また、第２の課題解決手段は、前記傾斜口部（２）の口元下の内側に傾斜面（７）を設けて、該傾斜面（７）下の内面側の前後左右の形態を概ね同寸法の方形状に形成させ、前記傾斜面（７）下の外側部下に下向きのクリップ（８）を一体的に設けて、前記ＰＴＰ包装における錠剤（ｔ）のポケット（ｐ）間に挟めておけるように構成されたものである。
【００１２】
上記第１の課題解決手段による作用は次の通りである。すなわち、前記ＰＴＰ包装における錠剤ｔポケットｐ下の台紙Ｐの下端側を、図５に示すように前記ヒンジ３部を介して一挙に受け止めれるようにして、錠剤ｔポケットｐの位置合わせの仕種を容易にできるようにしたものである。
【００１３】
そして、前記傾斜口部２下の口元に有した押し出し板６の案内面ｇを親指ｔ”の面で後方へ押すようにすると、前記押し出し板６の裏面側に有した錠剤押し５は、前記傾斜口部２にセットされている錠剤ｔのポケットｐ面を、図６に示したように前記傾斜口部２から概ね１０°程押し下げられた時点において錠剤ｔのアルミ箔ａを破ると同時に当該容器１中へ落下するようにしてある。
【００１４】
そして、前記操作によって取り出した錠剤ｔを透明な容器１内を確認した時点において、前記押し出し板６から親指ｔ”を離し、再度容器１中の錠剤ｔを確認したら、その取り出し終わった容器１を、服用容器１”として衛生的に使用できるようにしたものである。
【００１５】
そして、第２の課題解決手段による作用は、前記傾斜口部２下の口元下に有したクリップ８を、ＰＴＰ包装における錠剤ｔのポケットｐ間に挟めておくようにすると、従来の傾斜口部の先端側に有したクリップ機構に比べて、口部周辺が汚れないようになるから衛生面をクリアできると云う効果と、容器１の紛失を防止できると云う相乗効果を奏する。
【発明の効果】
【００１６】
上記したように本発明の錠剤取り出し容器は、ＰＴＰ包装における錠剤のポケットの位置合わせの第１段階となる台紙下のセットの仕方を、前記傾斜口部下に有したヒンジ部３によって概ね中心位置へ受け止められるから、その時点において錠剤ポケットｐの過小の左右ずれを直したりできるし、決定的な作用は、錠剤ｔを押し出す過程に、錠剤ポケットｐの台紙Ｐ下の両側を押し出し板６の両側部と傾斜口部２の両側とで確りと抑え込む仕組みが功を奏するようにしたものである。
【００１７】
従って、手や指先等に何らかの障害を有した人や、歳老いて指先が思うように利かないと云う人達にも容易に、而も面白いように錠剤ｔを取り出せる様になるので、病院や様々な医療機関においても、その錠剤ｔの取り出す過程が至便になるから、それまで看護師任せ等にしていた患者も、夫々自分自身の手先で容易に取り出せるようになると共に、使用後にはクリップ８を介して投与された錠剤ｔの台紙Ｐへ挟めて薬袋中に入れておけるので、紛失も防止できると云う、便利なＰＴＰ包装における錠剤の取り出し容器である。  
【図面の簡単な説明】
【００１８】
【図１】本発明の実施形態を示すＰＴＰ包装の錠剤の取り出し容器の平面図。
【図２】図１におけるＡ−Ａの縦断面図。
【図３】図２における拡大図。
【図４】押し出し板の部分拡大図。
【図５】本発明の容器の持ち方と錠剤のポケット合わせの状態を仮線で重ねて示した重複状の斜視図である。
【発明を実施するための形態】
【００１９】
以下、本発明の実施の形態を図１〜図５に基づいて説明する。
【００２０】
図においては、１は、前記特許文献等における容器同様に透明なｐｐ樹脂製の筒型を形成した服用容器を兼ねれる傾斜口部を有したＰＴＰ包装ににおける錠剤の取り出し容器と近似する構成形態ではあっても、決定的に前者と相違するのは、当該容器１の横断面Ａ−Ａの形態と、後方側を丸くした半円ア−チ門状に形成させた点と、該容器１の傾斜口部２の形態を押し出し易い３０°の鋭角にした点と、前記容器１における傾斜口部の内幅を大径の錠剤ｔ”にも対応できる１４ｍｍとし、且つ、前記傾斜口部２の長さは３４ｍｍとし、当該容器１の全長は成人の手中にフィットし易い形態の８０ｍｍとしたものである。
【００２１】
３はヒンジ部であり、該ヒンジ３部は前記傾斜口部２下の口元において、前記傾斜口部２の幅より左右をト−タルで４ｍｍ程狭くしたものであって、４は前記ヒンジ３上に鍵の手状に屈曲したベ−スであり、該べ−ス４の内面側には、錠剤ｔのポケットｐを押す短冊子５を等間隔に並設したものであり、６は前記錠剤ｔ押しの短冊５基部を備える押し出し板であって、ｒは前記押し出し板６の全面側の周囲に有した補強を兼ねるリブであり、ｇは前記押し出し板６の表面側に刻設した縦線状の親指ｔ”案内である。
【００２２】
７は前記傾斜口部２内の口元下に設けた傾斜部であり、該傾斜面下の容器内１”の左右の形態は夫々１４ｍｍ／１４ｍｍの方形状に形成されている。
【００２３】
８はクリップであり、該クリップ８の付け根は、前記傾斜口部２下の傾斜部７の反対側となる前記押し出し板６のヒンジ３下方に有し、前記クリップ８の先端側は容器１の下向きにして、前記ＰＴＰ包装台紙Ｐへ容易にセットできるようにしてある。
【００２４】
そして、上記構成における各部の諸動作を説明すると、先ず、利き手を用いて容器１の傾斜口部２側と押し出し板４を手前側に向けて図５に示すように持ち、次に、ＰＴＰ包装における錠剤ｔのポケットｐの台紙Ｐ下端側を、前記傾斜口部２下のヒンジ３部へ当て止める過程において、その左右ずれを直し、そして、図６に示すように押し板４を親指ｔ”で矢ａのように押すと、前記錠剤ｔポケットｐの台紙Ｐ下の両側は傾斜口部２の縁と錠剤押し５とにょって緊張した形態に押し出し板６で抑えられ、該押し出し板６は前記傾斜口部２内に概ね１０°近く押し下げられた時点において錠剤ｔ下のアルミシ−トａは破れ、目的の錠剤ｔを当該容器１中へ容易に取り落とすことができるようになるものである。
【００２５】
また、錠剤ｔを取り出した後の前記押し出し板６は、曲げと回復性に優れたｐｐ樹脂で成形されているヒンジ３によって、概ね垂直状の形態を維持するように構成されている。
【符号の説明】
【００２６】
１＝容器（ポリプロピレン製）                                                    ２＝傾斜口部                                                                    ３＝ヒンジ部                                                                    ４＝ベ−ス                                                                      ５＝短冊子からなる錠剤押し                                                      ６＝押し出し板                                                                  ７＝傾斜口部内に有した傾斜面                                                    ８＝クリップ                                                                    ａ＝アルミシ−ト                                                                ｇ＝案内                                                                        Ｐ＝台紙                                                                        ｐ＝ポケット                                                                    ｒ＝補強リブ                                                                    ｔ＝錠剤                                                                      ｔ”＝親指                                                                  
【図１】
2011125392.tif 000003
【図２】
2011125392.tif 000004
【図３】
2011125392.tif 000005
【図４】
2011125392.tif 000006
【図５】
2011125392.tif 000007